(57)【要約】【課題】収容箱に設けられた情報保持装置が保持する情報を、読取装置が適切に読み取ることが出来る。【解決手段】情報保持媒体を１以上収容し、前記１以上の前記情報保持媒体それぞれは、該情報保持媒体の属性を示す第１属性情報を保持し、該第１属性情報が含まれた第１電波を発する第１情報保持装置を有する収容箱において、前記収容箱は、前記収容箱の属性を示す第２属性情報を保持し、該第２属性情報が含まれた第２電波を発生する第２情報保持装置を有し、前記第１電波と前記第２電波とが干渉しないように、前記第１電波の周波数帯と前記第２電波の周波数帯とは設定されていることを特徴とする収容箱。【選択図】図５
2012214268.tif 000002
【特許請求の範囲】
【請求項１】
情報保持媒体を１以上収容し、
前記１以上の前記情報保持媒体それぞれは、該情報保持媒体の属性を示す第１属性情報を保持し、該第１属性情報が含まれた第１電波を発する第１情報保持装置を有する収容箱において、
前記収容箱は、
前記収容箱の属性を示す第２属性情報を保持し、該第２属性情報が含まれた第２電波を発生する第２情報保持装置を有し、
前記第１電波と前記第２電波とが干渉しないように、前記第１電波の周波数帯と前記第２電波の周波数帯とは設定されていることを特徴とする収容箱。
【請求項２】
前記第２電波の周波数帯は、指向性が強くなるように設定されていることを特徴とする請求項１記載の収容箱。
【請求項３】
前記第２電波の周波数帯は、２．４５ＧＨｚまたは略２．４５ＧＨｚであることを特徴とする請求項１または２記載の収容箱。
【請求項４】
前記第２情報保持装置は、複数設けられていることを特徴とする請求項１〜３何れか１項記載の収容箱。
【請求項５】
前記収容箱の属性を示す第３属性情報が書き換え可能に表示された表示媒体が収容された場合に、該表示された箇所が透過されて視認される透過部を有することを特徴とする請求項１〜４何れか１項に記載の収容箱。
【請求項６】
前記透過部は複数設けられていることを特徴とする請求項５に記載の収容箱。
【請求項７】
前記１以上の情報保持媒体が収容された、請求項１〜６何れか１項に記載の収容箱と
読取装置と、を含む読取システムであって、
前記読取装置は、
前記情報保持媒体の前記第１属性情報を取得する読取部と、
前記収容箱に収容されている前記１以上の情報保持媒体を単位部数ずつ前記読取部に搬送する搬送手段と、を有することを特徴とする読取システム。
【請求項８】
前記１以上の情報保持媒体が収容された、請求項１〜６何れか１項に記載の収容箱と
初期化装置と、を含む初期化システムであって、
前記初期化装置は、
前記情報保持媒体の前記第１属性情報を初期化する初期化部と、
前記収容箱に収容されている前記１以上の情報保持媒体を単位部数ずつ前記初期化部に搬送する搬送手段と、を有することを特徴とする初期化システム。
【請求項９】
前記１以上の情報保持媒体が収容された、請求項１〜６何れか１項に記載の収容箱と
書込み装置と、を含む書込みシステムであって、
前記書込み装置は、
前記情報保持媒体に前記第１属性情報を書き込む書込み部と、
前記収容箱に収容されている前記１以上の情報保持媒体を単位部数ずつ前記書込み部に搬送する搬送手段と、を有することを特徴とする書込みシステム。
【発明の詳細な説明】
【技術分野】
【０００１】
本発明は、情報保持媒体が収容される収容箱、読取システム、初期化システム、書込みシステムに関する。
【背景技術】
【０００２】
従来から、工場や、様々な場所で、情報を保持するＲＦＩＤ（Ｒａｄｉｏ  Ｆｒｅｑｕｅｎｃｙ  ＩＤｅｎｔｉｆｉｃａｔｉｏｎ）を有し、且つ、該情報をユーザが視認可能に表示する情報保持媒体が用いられている。該情報の保持、および、該情報の表示はいずれも書き換え可能とされている。該情報保持媒体とは、例えば、定期券やポイントカードなどであり、情報保持媒体の詳細な構成は、［発明を実施するための形態］で説明する。
【０００３】
また、近年、情報保持媒体のレンタル業務が行なわれている。図１に、レンタル業務システムの構成例を示す。図１の例では、該レンタル業務は、顧客１０００（例えば工場）と管理会社２０００とで行なわれている。
【０００４】
まず、管理会社２０００は、多数の情報保持媒体を収容箱（通い箱）に収容させ、顧客に配送（レンタル）する。そして、顧客１０００側で、該配送された多数の情報保持媒体を顧客１０００の工程で使用し、該顧客１０００の業務を遂行する。一定の期間が経過すると、管理会社２０００は、顧客１０００から配送した情報保持媒体を収容箱（通い箱）に収容させて、回収する。
【０００５】
特許文献１では、管理会社２０００は、収容箱単位でレンタル業務を管理するために、該収容箱にＩＣタグを取り付ける技術が開示されている。そして、管理会社２０００側が保持する読取装置が、ＩＣタグを読み込むことで、レンタル情報（例えば、収容箱ＩＤや、顧客ＩＤや顧客の連絡先や住所など）を取得する。このＩＣタグの読取は、収容箱の配送時、または／および、回収時に行なわれる。このＩＣタグを読み取ることで、収容箱に収容されている全ての情報保持媒体および収容箱を一度に管理することが出来る。
【発明の概要】
【発明が解決しようとする課題】
【０００６】
しかし、特許文献１記載の技術では、情報保持媒体が有するＲＦＩＤが発する電波と、収容箱に設けられたＩＣタグが発する電波とが、干渉しあうため、読取装置は、適切に、ＩＣタグを読み取ることができないという問題があった。
【０００７】
本発明では、このような問題を鑑みて、収容箱に設けられた情報保持装置が保持する情報を、読取装置が適切に読み取ることが出来る収容箱、該収容箱を用いた読取システム、初期化システム、書込みシステムを提供することを目的とする。
【課題を解決するための手段】
【０００８】
上記目的を達成するため、情報保持媒体を１以上収容し、前記１以上の前記情報保持媒体それぞれは、該情報保持媒体の属性を示す第１属性情報を保持し、該第１属性情報が含まれた第１電波を発する第１情報保持装置を有する収容箱において、前記収容箱は、前記収容箱の属性を示す第２属性情報を保持し、該第２属性情報が含まれた第２電波を発生する第２情報保持装置を有し、前記第１電波と前記第２電波とが干渉しないように、前記第１電波の周波数帯と前記第２電波の周波数帯とは設定されていることを特徴とする収容箱を提供する。
【発明の効果】
【０００９】
本発明の収容箱であれば、収容箱に設けられた情報保持装置が保持する情報を、読取装置が適切に読み取ることが出来る。
【図面の簡単な説明】
【００１０】
【図１】本実施例のレンタルシステムの機能構成例を示した図。
【図２】本実施例の情報保持媒体の一例の概念図を示した図。
【図３】本実施例の情報保持媒体の一例を示した図。
【図４】本実施例の収容箱の一例を示した図（その１）。
【図５】本実施例の収容箱の一例を示した図（その２）。
【図６】本実施例の管理装置の一例を示した図。
【図７】本実施例の管理装置の要部を示した図。
【図８】本実施例の搬送手段の一例を示した図。
【図９】本実施例の表示媒体の一例を示した図。
【図１０】本実施例の書込み装置の一例を示した図。
【図１１】本実施例の書込み装置の要部を示した図。
【発明を実施するための形態】
【００１１】
［実施形態１］
実施形態１の収容箱を説明するが、まず、収容箱に収容される情報保持媒体について説明する。
＜情報保持媒体＞
まず、情報保持媒体について説明する。図２に情報保持媒体１０の概念図を示す。情報保持媒体１０は、表示部１４と情報保持部１２を有する。表示部１４には、後述する表示情報が表示され、情報保持部１２には、第１属性情報が保持される。
【００１２】
図３に、情報保持媒体１０の一例を示す。情報保持媒体１０は、例えば、カード形状とされる。情報保持媒体１０の表示部１４には、様々な情報（以下、「表示情報」という。）が書き換え可能に表示されている。表示情報とは文字や図形などである。図３の例では、表示情報は、「業務管理表  氏名○○  工程ＩＤ○○  工程内容○○」や二次元バーコードである。
【００１３】
また、情報保持媒体１０には、第１情報保持装置１２（破線で示す）が内蔵されている。第１情報保持装置１２とは、例えば、ＩＣチップなどのＲＦＩＤである。第１情報保持装置１２には、情報保持媒体の属性を示す第１属性情報が記憶されている。第１属性情報には、少なくとも、情報保持媒体１０を識別するための情報保持媒体ＩＤが含まれる。その他には、第１属性情報には、情報保持媒体１０が使用される工程の属性を示す情報などが含まれる。工程については後述する。工程の属性を示す情報とは、例えば、情報保持媒体１０を用いる作業者の氏名、工程ＩＤや工程内容などである。また、第１属性情報には、情報保持媒体１０には、情報保持媒体のサイズ、厚さ、性能、色、在庫の状況を示す在庫情報などが含まれるようにしてもよい。
【００１４】
また、情報保持媒体１０の表示部１４に、表示情報は、特殊なインクで記載されている。そして、該表示部１４を所定の温度にすることで、表示情報を（物理的に）消去することが出来る。そして、該特殊なインクにより表示情報は記載される。このようして、表示情報は、書き換え可能とされる。
【００１５】
また、情報保持媒体の第１情報保持装置１２内の第１属性情報は、後述する初期化装置により、初期化（電子的に消去）され、書込み装置により、新たに書き込まれる。このようにして、第１属性情報は、書き換え可能とされる。
情報保持媒体の詳細については、例えば、「"日刊工業新聞社"［ｏｎｌｉｎｅ］［平成２３年３月２２日検索］インターネット〈ＵＲＬ：〈http://www.shinseihinjoho.jp/challenge21/100202/index.php〉」などに開示されている。
【００１６】
次に、情報保持媒体１０の使用方法を簡単に説明する。情報保持媒体１０が使用される工程中で、該情報保持媒体１０を保有する作業者（工程の作業を行なう者）は、例えば工程での作業の開始時または作業の終了時に、読取装置（図示せず）に読み取らせる。該読取の際には、読取装置は、情報保持媒体１０の第１情報保持装置１２から、第１属性情報が含まれた電波（以下、「第１電波」という。）を受信することで、第１属性情報を取得する。そして、読取装置は、該工程での作業が終了したことを、データベース（図示せず）に記憶させる。読取装置と、第１情報保持装置１２との電波のやり取りなどについては、後述する。
＜収容箱＞
次に、本実施例の収容箱について説明する。この収容箱は、通い箱とも呼ばれる。図４、図５に１以上の情報保持媒体１０が収容されている収容箱１００の斜視図を示す。収容箱１００は大略して、蓋部１０２と収容部１０４とで構成されている。図４、図５に示すように、蓋部１０２は、収容部１０４に対して開閉可能に設けられている。図４では、蓋部１０２が閉じている場合の斜視図を示し、図５では、蓋部１０２が開いている場合の斜視図を示す。このように、蓋部１０２は、収容部１０４に対して、開閉可能に設けられている。また、図４、図５の例では、収容箱１００は直方体状であるが、他の形状でも良い。また、図５の例では、蓋部１０２が開けられることで、一方の側面１１０が開口されるようになる。
【００１７】
図４、図５の例では、蓋部１０２が開けられることで、その一方のどちらかの側面が開口されるものだが、他の例として（図示せず）、側面１１０の対(反対側)の別の一側面が開口されるようにしてもよい。また、蓋部１０２が開けられることで、側面１１０および、その側面１１０の反対側の側面の二側面が開口されるようにしてもよい。あるいは、側面１１０、または／および側面１１０の反対側の側面は開口されずに、透過部１０８を有する側面が開口されるようにしてもよい。なお、収容箱１００は直方体状としたが、備わる面の一面、あるいは一面のある部分が重複してもよい。また、蓋部１０２と所定の側面（一面あるいは複数面）との開け閉めは、所定の留め具（例えば、マジックテープ（登録商標）、磁石、など）が備わっており、その留め具を外して蓋１０２の開口を行う。
【００１８】
図１で説明したとおり、管理会社２０００は、レンタル対象である多数の情報保持媒体を収容箱１００に収容して（図５参照）顧客１０００に対して配送（レンタル）する。また、配送してから、顧客１０００と管理会社２０００との契約期間経過後、顧客１０００が返却対象の多数の情報保持媒体を収容箱１００に収容して、管理会社２０００は顧客１０００から回収する。
【００１９】
また、収容部１０４には透過部１０８（透明または半透明な部分）が設けられているが、この透過部１０８については後述する。
【００２０】
また、蓋部１０２には、第２情報保持装置１０６が設けられている。第２情報保持装置１０６とは、第１情報保持装置１２と同様、ＩＣチップなどのＲＦＩＤである。第２情報保持装置１０６には、第２属性情報が記憶されている。第２属性情報とは、収容箱１００の属性を示す情報である。第２属性情報とは、少なくとも、収容箱１００を識別するための収容箱ＩＤが含まれる。第２属性情報のその他の例として、回収元や配送先の顧客１０００の名称やＩＤの情報、顧客１０００の担当者名の情報、収容されている情報保持媒体の枚数や内容の情報、配送・回収履歴の情報、などが含まれるようにしてもよい。つまり、第２属性情報とは、顧客や、収容されている情報保持媒体についての情報も含まれる。
＜管理装置＞
次に、管理装置２００について説明する。管理装置２００は、収容箱１００の配送時または回収時に、第１情報保持装置１２から第１属性情報（少なくとも、情報保持媒体ＩＤ）を取得し、かつ、第２情報保持装置１０６から第２属性情報（少なくとも、収容箱ＩＤ）を取得する。そして、取得した、第１属性情報および第２属性情報をデータベース（図示せず）に転送して記憶させることで、管理会社２０００の管理者は、収容箱１００および、該収容箱１００に収容されている情報保持媒体１０が回収されたことを認識する。
【００２１】
図６に、管理装置２００の斜視図を示す。管理装置２００は、複数の挿入部２０２と同数の排出部２０４を有し、該挿入部２０２に収容箱１００が挿入されることで、収容箱１００は、管理装置２００に装着される。図６の例では、１２個の挿入部２０２それぞれに、情報保持媒体１０が収容されている収容箱１００が挿入される。つまり、管理装置２００は、１２個の収容箱１００それぞれの第２情報保持装置１０６から、第２属性情報を取得する（収容箱１００を管理する）ことができる。また、１２個の排出部２０４それぞれには、空の収容箱１００が挿入される。以下では、管理装置２００の奥行き方向（収容箱１００の挿入方向）をＹ軸方向とし、管理装置２００の高さ方向（蓋部１０２が設けられている方向）をＺ軸方向とし、管理装置２００の幅方向（挿入部２０２と排出部２０４の配置方向）をＸ軸方向とする。
【００２２】
図７に、管理装置２００の１つの挿入部２０２の内部構造の簡略図を示す。図７の例では、図６の破線α−α'（Ｙ軸方向）で切った断面図を示す。各挿入部２０２には、収容箱１００が（完全に）挿入された場合に、該収容箱１００の第２情報保持装置１０６と対向する位置に、第２読取装置２０４が設けられる。そして、第２読取装置２０４は、第２情報保持装置１０６が保持している第２属性情報を取得する。
【００２３】
ここで、第２読取装置２０４と、第２情報保持装置１０６と、の電波のやり取りを簡単に説明する。まず、（１）第２読取装置２０４は、第２情報保持装置１０６内の第２属性情報を要求するための要求信号を電波（以下、「要求電波」という。）に乗せて、該第２情報保持装置１０６に送信する。（２）該第２情報保持装置１０６は、該電波の一部を電流に変換して、該電流で駆動し、第２属性情報を電波（第２電波）に含ませて、第２読取装置２０４に送信する。（３）第２読取装置２０４は、第２電波を受信することで、第２属性情報を取得する。このようにして、第２読取装置２０４は、第２情報保持装置１０６内に格納されている第２属性情報を取得する。また、上述した、顧客１０００内での、第１情報保持媒体１０と読取装置（図示せず）とのやり取りは、この（１）〜（３）の処理と同様である。
【００２４】
そして、第２読取装置２０４により取得された第２属性情報は、データベース（図示せず）に記憶され、管理会社２０００は、収容箱１００が、配送されたこと、または、回収されたことを認識する。
【００２５】
また、管理装置２００内の第１読取装置３２２は、情報保持媒体１０の第１情報保持装置１２から第１属性情報を取得する。第１属性情報の取得の手法について説明する。図８に、第１読取装置３２２による読取機構について示す。収容箱１００に収容されている１以上の情報保持媒体１０は、コロ３０８の回転およびスリット３１０により、単位部数ずつ取り出される。単位部数とは、例えば、「１つ」とする。取り出された１つの情報保持媒体１０は、搬送経路３１２により、第１読取装置３２２まで搬送される。そして、第１読取装置３２２は、該１つの情報保持媒体１０の第１情報保持装置１２から第１属性情報を読み取る。第１読取装置３２２の読取手法は、第２読取装置２０４の読取手法（上記（１）〜（３）の処理と同様である。上記（３）で、第１情報保持装置１２は、第１読取装置３２２からの第１電波を受信して、第１属性情報を取得する。第１属性情報の取得後は、搬送経路３１２により、排出部２０４に挿入されている空の収容箱１００に収容されるように搬送される。
【００２６】
また、搬送手段３２０は、コロ３０８、スリット部３１０、搬送経路３１２を含むものである。つまり、搬送手段３２０により、収容箱１００に収容されている１以上の情報保持媒体１０から、１つずつ、第１情報保持装置１２から第１属性情報を取得する。
【００２７】
また、第１読取装置３２２が第１属性情報を取得する処理と、第２読取装置２０４が第２属性情報を取得する処理とは、略並行して行なわれる。
【００２８】
ここで、上記（３）で説明したように、第１読取装置３２２が第１属性情報を取得する処理の際に、第１情報保持装置１２から第１電波が発信される。また、第２読取装置２０４が第２属性情報を取得する処理の際に、第２情報保持装置１０６から第２電波が発信される。そして、本実施例の収容箱では、第１電波と第２電波とが干渉しないように、第１電波の周波数帯と第２電波の周波数帯とは設定されている。この設定により、第１読取装置３２２は、第１属性情報を適切に取得でき、第２読取装置２０４も第２属性情報を適切に取得できる。
【００２９】
特に、第２電波の周波数帯は、指向性が強くなるように設定されていることが好ましい。指向性が強いことで、第２読取装置２０４は、第２情報保持装置１０６からの第２電波を受信しやすくなるからである。
【００３０】
更には、第２電波の周波数帯は、２．４５ＧＨｚまたは略２．４５ＧＨｚであることが好ましい。周波数帯が２．４５ＧＨｚまたは略２．４５ＧＨｚであることで、第２電波の指向性が強くなり、第２情報保持装置１０６からの第２電波を受信しやすくなるからである。この場合には、第１電波の周波数帯は、ＵＨＦ帯またはＨＦ帯などにすればよい。
【００３１】
また、図５の例では、第２情報保持装置１０６は、蓋部１０２の裏側（蓋部１０２が閉じられた場合において、第２情報保持装置１０６が収容部１０４内に位置する位置）に設けられた。第２情報保持装置１０６の配置される位置は、第２読取装置２０４が第２属性情報を取得できる位置であれば、他の位置でもよい。
【００３２】
また、第２情報保持装置１０６は複数あってもよい。第２情報保持装置１０６が複数設けられることで、第２読取装置２０４は更に適切に、第２属性情報を取得することが出来る。第２情報保持装置１０６の他の１つの第２情報保持装置を「第２情報保持装置１０６'」とする。第２情報保持装置１０６'には、例えば、収容箱１００の大きさや材質、第２情報保持装置１０６'の配置されている位置、透過部１０８（後述する）の位置などが示された情報が保持される。
【００３３】
この実施形態１では、第１電波と第２電波とが干渉しないように、第１電波の周波数帯と第２電波の周波数帯とは設定されている。従って、第２読取装置２０４は、第２情報保持装置１０６内の第２属性情報を適切に取得することが出来る。
【００３４】
また、管理者は、情報保持媒体１０が収容された収容箱１００を管理装置２００に装着することが出来る。そして、管理装置２００が収容箱１００の第２属性情報を取得することが出来る。従って、管理会社２０００は、収容箱１００単位で、該収容箱１００および情報保持媒体１０を管理することが出来る。
【００３５】
また、管理者が情報保持媒体１０を１枚ずつ管理装置２００に装着する必要がなく、該装着の手間を省くことができる。そして、該手間が省かれることで、顧客１０００から回収された収容箱１００および情報保持媒体１０から即座に、第１属性情報、第２属性情報を取得できることから、リアルタイムで、収容箱１００および情報保持媒体１０を管理することが出来る。
［実施形態２］
実施形態２では、図４に示した透過部１０８について説明する。管理会社２０００の管理者は、情報保持媒体１０が収容されている収容箱１００が、配送先の顧客、または、回収元の顧客などを容易に認識できることが好ましい。
【００３６】
従来では、配送先の顧客、または、回収元の顧客などを示した情報を用紙（以下、「表示用紙」という。）に表示させ、該表示用紙を収容箱１００に貼り付けていた。しかし、配送毎、または、回収毎に該表示用紙を取り替える必要があり、表示用紙についての用紙コストが増大するという問題が生じる場合がある。
【００３７】
この実施形態２では、文字や記号を書き換え可能に表示する表示媒体に、必要な情報（例えば、配送先、または、回収元などを示した情報）を表示させる。図９に表示媒体２０の一例を示す。図９の例では、「配送先、配送先担当者、配送日時、収容枚数（情報保持媒体１０が収容されている枚数）」が記載されている。
【００３８】
そして、該表示された表示媒体２０を、複数の情報保持媒体の外側に配置させて、該複数の情報保持媒体が収容された場合には、該表示媒体の表示部分２２が、透過部１０８から、管理者により透過されて視認されるようにする。
【００３９】
この表示媒体に表示される情報を第３属性情報とする。第３属性情報は、収容箱１００の属性を示すものであり、大略して、第２属性情報と同一または、他の情報を付加または削除したものとしてもよい。
【００４０】
また、この表示媒体は、情報保持媒体１０と同様のもの、または、情報保持媒体１０から第１情報保持装置１２を削除したものを用いればよい。また、書き換え可能に第３属性情報を表示できるのであれば、他の媒体を用いても良い。
【００４１】
この実施形態２によれば、管理者は、第２属性情報と同一、または、略同一の第３属性情報が表示された表示媒体が、透過部１０８から透過されて視認することが出来る。従って、管理者は、収容箱１００の管理業務をスムーズに行なうことが出来る。
【００４２】
また、表示媒体は、第３属性情報が書き換え可能に表示される。従って、該表示媒体を使い回しすることで、第３属性情報が表示される表示用紙のコストを削減することが出来る。
【００４３】
また、透過部１０８を複数設けることが好ましい。透過部１０８を複数設け、表示媒体２２も透過部１０８の数と同数収容させることで、管理者は、第３属性情報を複数個所で、視認することが出来る。
［実施形態３］
次に、実施形態３について説明する。実施形態３では、初期化システムについて説明する。実施形態３の初期化システムでは、収容箱１００に収容されている、１以上の情報保持媒体１０全ての第１情報保持装置１２が保持する第１属性情報を初期化するものである。
【００４４】
この例では、管理装置２００（図６参照）に初期化機能を具備させる場合を説明する。この場合には、第１読取装置３２２に、第１属性情報を取得させ、かつ、情報保持媒体１０を初期化させるようにすれば良い。ここで、初期化とは、表示部１４に表示されている表示情報を（物理的に）消去すること、または／および、第１情報保持装置１２に保持されている第１属性情報を（電子的に）消去すること、をいう。
【００４５】
そして、搬送手段３２０により、収容されている１以上の情報保持媒体１０を１つずつ取り出し、第１読取装置３２２に搬送する。そして、第１読取装置３２２が、第１属性情報を取得し、情報保持媒体１０を初期化する。
【００４６】
また、第１属性情報を取得する工程と、情報保持媒体１０を初期化する工程と、をそれぞれ管理装置と初期化装置とで行なってもよい。初期化装置の形状は、図６に示したものと同様なものとする。管理装置２００により、第１情報保持装置１２内の第１属性情報を取得した後に、初期化装置により、情報保持媒体１０を１つずつ初期化する。また、この場合には、初期化装置の要部の構成は、図８の第１読取装置３２２を初期化部４０２とし、該初期化部が、表示部１４に表示されている第１属性情報を（物理的に）消去すること、または／および、第１情報保持装置１２に保持されている第１属性情報を（電子的に）消去することを行なうようにすればよい。
【００４７】
この実施形態３により、収容箱１００に収容されている、１以上の情報保持媒体１０全ての第１情報保持装置１２が保持する第１属性情報を、一度に初期化することが出来るので、管理者が１枚ずつ情報保持媒体１０を初期化する必要がなく、該初期化の手間を省略することが出来、初期化時間を頗る短縮することが出来る。
［実施形態４］
次に、実施形態４について説明する。実施形態４では、書込みシステムについて説明する。該書込みシステムは、初期化システムにより初期化された情報保持媒体に対して、再び、第２属性情報を書き込むものである。書込みシステムで用いられる書込み装置は、顧客１０００側に配置されるものである。
【００４８】
図１０に書込み装置３００の斜視図を示す。図１０の例では、書込み装置３００は、挿入部３０２と排出部３０４とを有する。そして、書込み装置３００の内部には、情報保持媒体１０に第１属性情報を書き込む書込み部（図１１参照）を有する。
【００４９】
挿入部３０２には、１以上の情報保持媒体１０が収容された収容箱１００が挿入される。また、排出部３０４からは、書込み部３０５により第１属性情報が新たに書き込まれた情報保持媒体が排出される。
【００５０】
図１１に書込みシステムの要部の機能構成例を示す。搬送手段３２０により、１以上の情報保持媒体１０を１つずつ取り出し、書込み部３０５まで搬送される。そして、書込み部３０６は、情報保持媒体１０の第１情報保持装置１２に対して、第１属性情報、または／および表示情報を書き込む。第１属性情報が書きこまれた情報保持媒体１０は、搬送経路３１２により、排出口３０２から排出される。
【００５１】
この実施形態４により、収容箱１００に収容されている、１以上の情報保持媒体１０全てに対して、第２属性情報または／および表示情報を書き込むことが出来る。従って、管理者が１枚ずつ情報保持媒体１０に第１属性情報、または／および表示情報を書き込む必要がなく、該書込みの手間を省略することが出来、書込み時間を頗る短縮することが出来る。
【００５２】
また、書込み部３１２は、第１情報保持装置１２に第１属性情報を（電子的に）書き込むのみではなく、表示部１４に表示情報も（物理的に）書き込むようにしてもよい。
【符号の説明】
【００５３】
１００    収容箱
１０２    蓋部
１０４    側面
１０６    第２情報保持装置
１０８    透過部
【先行技術文献】
【特許文献】
【００５４】
【特許文献１】特開２００８−３０８２７９号公報
【図１】
2012214268.tif 000003
【図２】
2012214268.tif 000004
【図３】
2012214268.tif 000005
【図４】
2012214268.tif 000006
【図５】
2012214268.tif 000007
【図６】
2012214268.tif 000008
【図７】
2012214268.tif 000009
【図８】
2012214268.tif 000010
【図９】
2012214268.tif 000011
【図１０】
2012214268.tif 000012
【図１１】
2012214268.tif 000013